(57)【特許請求の範囲】
【請求項１】
信号を受信可能な受信手段と、
自己の存在を報知する報知手段と、
遊技価値を記憶可能な記憶手段と、
前記記憶手段が前記遊技価値を記憶しているか否かを判定する判定手段と、
前記受信手段が前記所定の信号を受信した場合に、前記判定手段に判定させる判定制御手段と、
前記記憶手段が前記遊技価値を記憶していると前記判定手段が判定した場合に、前記報知手段に報知させる報知制御手段と、
を有するＩＣカードと、
遊技場の出口に設けられ、前記所定の信号を送信する送信装置と、
を有することを特徴とするカード管理システム。
【請求項２】
前記ＩＣカードは筐体を更に有し、
前記報知手段は、前記筐体を振動させる振動手段であることを特徴とする請求項１に記載のカード管理システム。
【請求項３】
前記ＩＣカードは、
信号を送信可能な送信手段と、
前記記憶手段が前記遊技価値を記憶していると前記判定手段が判定した場合に、特定の信号を前記送信手段から送信させる送信制御手段と、
を更に有し、
前記特定の信号を受信可能な特定信号受信手段と、
画像を表示する表示手段と、
前記特定信号受信手段が前記特定の信号を受信した場合に、前記特定の信号に基づく特定の画像を前記表示手段に表示させる表示制御手段と、
を有する表示装置を更に有することを特徴とする請求項１又は２に記載のカード管理システム。 
【発明の詳細な説明】
【技術分野】
【０００１】
本発明は、遊技価値を記憶するＩＣカードを管理するカード管理システムに関する。
【背景技術】
【０００２】
従来、パチンコホール等の遊技場においては、遊技価値を記憶したＩＣカードを用いて遊技が行われている。このようなＩＣカードは、製造コスト等の観点から、遊技者が持ち帰らずに効率良く回収できるように、有効期限が発行日のみである場合が多い。このような場合、遊技価値が残っているＩＣカードを遊技者が誤って持ち帰ると、残りの遊技価値が無駄になってしまう。
【０００３】
一方、特許文献１には、有効期限が限定されていないＩＣカードを用いて遊技が行われ、遊技終了時にＩＣカードに残っている遊技価値の残度を確認し、遊技価値の残度が「０」でなければ、ＩＣカードを遊技者に返却する一方、遊技価値の残度が「０」であれば、ＩＣカードを回収することによって、ＩＣカードの回収率を改善させたプレイ対象の利用管理システムが開示されている。これによれば、遊技終了時に残っている遊技価値の残度が「０」でないＩＣカードは、遊技者によって持ち帰られることとなる。
【０００４】
【特許文献１】特開平１１−１５６０３７号公報
【発明の開示】
【発明が解決しようとする課題】
【０００５】
しかしながら、特許文献１においても、ＩＣカードの回収率を向上させるためには、ＩＣカードに残っている遊技価値を遊技者に消費させたり清算させたりさせて、遊技者によるＩＣカードの持ち帰りを低減させることが好ましい。
【０００６】
本発明の目的は、遊技者によるＩＣカードの持ち帰りを低減させることが可能なカード管理システムを提供することである。
【課題を解決するための手段及び効果】
【０００７】
本発明のカード管理システムは、信号を受信可能な受信手段と、自己の存在を報知する報知手段と、遊技価値を記憶可能な記憶手段と、前記記憶手段が前記遊技価値を記憶しているか否かを判定する判定手段と、前記受信手段が前記所定の信号を受信した場合に、前記判定手段に判定させる判定制御手段と、前記記憶手段が前記遊技価値を記憶していると前記判定手段が判定した場合に、前記報知手段に報知させる報知制御手段と、を有するＩＣカードと、遊技場の出口に設けられ、前記所定の信号を送信する送信装置と、を有することを特徴とする。 
【０００８】
上記の構成によれば、ＩＣカードを所持していることが遊技者に認識されるから、退店前にＩＣカードに残っている遊技価値を消費したり清算したりするように遊技者を促すことができる。これにより、遊技者によるＩＣカードの持ち帰りを低減させることができる。また、残っている遊技価値で遊技を続けるように遊技者を促すことができるから、ＩＣカードの有効期限が発行日のみであるような場合に、ＩＣカードに残っている遊技価値が無駄になる不利益を遊技者が被らないようにすることができる。
【０００９】
また、本発明のカード管理システムにおいて、前記ＩＣカードは筐体を更に有し、前記報知手段は、前記筐体を振動させる振動手段であってよい。上記の構成によれば、筐体の振動によって、ＩＣカードの存在が遊技者に報知されるから、遊技場の店内が騒がしくても、ＩＣカードを所持していることを遊技者に高い確率で認識させることができる場合がある。
【００１０】
また、本発明のカード管理システムにおいて、前記ＩＣカードは、信号を送信可能な送信手段と、前記記憶手段が前記遊技価値を記憶していると前記判定手段が判定した場合に、特定の信号を前記送信手段から送信させる送信制御手段と、を更に有し、前記特定の信号を受信可能な特定信号受信手段と、画像を表示する表示手段と、前記特定信号受信手段が前記特定の信号を受信した場合に、前記特定の信号に基づく特定の画像を前記表示手段に表示させる表示制御手段と、を有する表示装置を更に有していてよい。
【００１１】
上記の構成によれば、遊技価値が残っているＩＣカードを所持した遊技者が退店しようとする際に、表示装置に特定の画像が表示される。これにより、特定の画像を視認した遊技場の店員等に、ＩＣカードを持ち帰らないように遊技者を誘導させることができる場合がある。
【発明を実施するための最良の形態】
【００１２】
本発明の実施の形態を図１ないし図３に基づいて以下に説明する。
【００１３】
（カード管理システム１の構成）
本実施の形態にかかるカード管理システム１は、図１に示すように、ＩＣカード２と、送信装置及び表示装置としてのホールコンピュータ３と、表示装置としての端末装置４とを有している。ＩＣカード２は、主に遊技者６によって扱われ、端末装置４は、主に遊技場の店員７によって扱われる。また、ホールコンピュータ３は、遊技機５を含む遊技場全体を管理するものであって、遊技場の管理者によって扱われる。
【００１４】
（ＩＣカード２の機械的構成）
ＩＣカード２は、図１に示すように、矩形状の筐体を有するカードであり、遊技場に備えられた遊技機５で遊技を行う際に使用されるクレジット（遊技価値）を記憶することが可能である。そして、ＩＣカード２は、遊技機５に挿入される等されて、遊技者の遊技に供される。ＩＣカード２が有するクレジットは、遊技の進行に応じて増減される。
【００１５】
また、ＩＣカード２は、その筐体内に、アンテナとバイブレータとを有している。アンテナは、外部と通信を行うものである。特に、受信手段としてのアンテナは、遊技場の出口８に設けられたアンテナ３９から送信される検出信号（所定の信号）を受信する。また、送信手段としてのアンテナは、検出信号を受信し、且つ、ＩＣカード２にクレジットが残っている場合（ＩＣカード２が遊技価値を記憶している場合）に、退店信号（特定の信号）を外部に送信する。報知手段及び振動手段としてのバイブレータは、ＩＣカード２のアンテナが外部から検出信号を受信し、且つ、ＩＣカード２にクレジットが残っている場合に、ＩＣカード２の筐体を振動させて、ＩＣカード２の存在を遊技者６に報知するものである。
【００１６】
（ホールコンピュータ３の機械的構成）
ホールコンピュータ３は、表示手段としての表示部４１とアンテナ３９とを有している。アンテナ３９は、遊技場の出口８に設けられており、遊技場から退店しようとする遊技者６に向けて、検出信号を常に送信している。このため、遊技場から退店しようとする遊技者６が、クレジットが残っているＩＣカード２を所持している場合に、ＩＣカード２の筐体の振動によって、ＩＣカード２の存在が遊技者６に報知されることとなる。
【００１７】
このように、遊技者６がＩＣカード２を所持した状態で遊技場から退店しようとすると、遊技場の出口８に設けられたアンテナ３９から送信された検出信号を受信したＩＣカード２によって、ＩＣカード２の存在が遊技者６に報知される。これにより、ＩＣカード２を所持していることが遊技者６に認識されるから、退店前にＩＣカード２に残っているクレジットを消費したり清算したりするように遊技者６を促すことができる。これにより、遊技者６によるＩＣカード２の持ち帰りを低減させることができる。
【００１８】
また、ＩＣカード２の筐体の振動によって、ＩＣカード２の存在が遊技者６に報知されるから、遊技場の店内が騒がしくても、ＩＣカード２を所持していることを遊技者６に高い確率で認識させることができる場合がある。
【００１９】
さらに、ＩＣカード２にクレジットが残っている場合に、ＩＣカード２の存在が遊技者６に報知される。これにより、残っているクレジットで遊技を続けるように遊技者６を促すことができるから、ＩＣカード２の有効期限が発行日のみであるような場合に、ＩＣカード２に残っているクレジットが無駄になる不利益を遊技者６が被らないようにすることができる。
【００２０】
また、特定信号受信手段としてのアンテナ３９は、クレジットが残っているＩＣカード２から送信される退店信号を受信する。表示部４１は、退店信号に基づいた情報画像（特定の画像）を表示する。情報画像は、退店者の有無とクレジットの度数とを表示するものであるが、退店者の氏名や住所等のＩＤを表示するものであってもよい。
【００２１】
（端末装置４の機械的構成）
端末装置４は、表示手段としての表示部４１と図示しないアンテナとを有している。特定信号受信手段としてのアンテナは、クレジットが残っているＩＣカード２から送信される退店信号を受信する。表示部４１は、退店信号に基づいた情報画像を表示する。
【００２２】
このように、クレジットが残っているＩＣカード２を所持した遊技者６が退店しようとする際に、ホールコンピュータ３及び端末装置４の表示部４１に情報画像が表示される。これにより、情報画像を視認した遊技場の店員７等に、ＩＣカード２を持ち帰らないように遊技者６を誘導させることができる場合がある。
【００２３】
（ＩＣカード２の電気的構成）
ＩＣカード２は、図２に示すように、制御回路２１によって動作が制御されている。図２に示す制御回路２１は、回路基板上に配置されたマイクロコンピュータ２２を主たる構成要素とし、これに各種回路を加えて構成されている。マイクロコンピュータ２２は、予め設定されたプログラムに従って制御動作を行うＣＰＵ２３と、各種のプログラムを記憶するＲＯＭ２４と、クレジットを記憶する記憶手段としてのＲＡＭ２５とを有している。
【００２４】
ＣＰＵ２３には、アンテナ２８を介して各種信号の送受信を行う送受信部２６と、バイブレータ２９の駆動を制御するバイブレータ駆動回路２７とが接続されている。
【００２５】
判定手段及び判定制御手段としてのＣＰＵ２３は、アンテナ２８を介して送受信部２６が検出信号を受信した場合に、ＲＡＭ２５にクレジットが残っているか否かを判定する。また、送信制御手段としてのＣＰＵ２３は、ＲＡＭ２５にクレジットが残っていると判定した場合に、アンテナ２８を介して退店信号を送受信部２６から送信させる。また、報知制御手段としてのＣＰＵ２３は、ＲＡＭ２５にクレジットが残っていると判定した場合に、バイブレータ駆動回路２７を制御して、バイブレータ２９を駆動させる。
【００２６】
（ホールコンピュータ３の電気的構成）
ホールコンピュータ３は、図２に示すように、制御回路３１によって動作が制御されている。図２に示す制御回路３１は、回路基板上に配置されたマイクロコンピュータ３２を主たる構成要素とし、これに各種回路を加えて構成されている。マイクロコンピュータ３２は、予め設定されたプログラムに従って制御動作を行うＣＰＵ３３と、各種のプログラムを記憶するＲＯＭ３４と、退店信号を一時的に記憶するＲＡＭ３５とを有している。
【００２７】
ＣＰＵ３３には、アンテナ３９を介して各種信号の送受信を行う通信回路３６と、操作部４０からの各種入力信号が入力されるインターフェイス回路３７と、表示部４１の表示を制御する表示制御回路３８とが接続されている。
【００２８】
ＣＰＵ３３は、通信回路３６を介してアンテナ３９から検出信号を常時送信させる。また、表示制御手段としてのＣＰＵ３３は、アンテナ３９を介して通信回路３６が退店信号を受信した場合に、退店信号に基づいた情報画像を表示部４１に表示させる。
【００２９】
（端末装置４の電気的構成）
端末装置４は、図２に示すように、ホールコンピュータ３と同様の電気的構成を有している。ただし、端末装置４のＣＰＵ３３は、通信回路３６を介してアンテナ３９から検出信号を送信させない。
【００３０】
（カード管理システム１の動作）
上記の構成において、図３に示す管理処理ルーチンを参照して、カード管理システム１の動作について説明する。
【００３１】
（ＩＣカード側管理処理ルーチン）
ＩＣカード２の動作であるＩＣカード側管理処理ルーチンが実行されると、図３に示すように、ＩＣカード２のＣＰＵ２３は、ホールコンピュータ３から送信される検出信号を受信したか否かを判定する（Ｓ１）。検出信号を受信していないと判定した場合には（Ｓ１，ＮＯ）、ステップＳ１に戻る。一方、検出信号を受信したと判定した場合には（Ｓ１，ＹＥＳ）、ＲＡＭ２５にクレジットが残っているか否かを判定する（Ｓ２）。
【００３２】
そして、ＲＡＭ２５にクレジットが残っていないと判定した場合には（Ｓ２，ＮＯ）、ステップＳ１に戻る。一方、ＲＡＭ２５にクレジットが残っていると判定した場合には（Ｓ２，ＹＥＳ）、送受信部２６を介してアンテナ２８から退店信号を送信させる（Ｓ３）。次に、バイブレータ駆動回路２７によってバイブレータ２９を駆動させる（Ｓ４）。これにより、ＩＣカード２の筐体が振動され、ＩＣカード２の存在が遊技者６に報知される。
【００３３】
このように、遊技者６がＩＣカード２を所持した状態で遊技場から退店しようとすると、遊技場の出口８に設けられたアンテナ３９から送信された検出信号を受信したＩＣカード２によって、ＩＣカード２の存在が遊技者６に報知される。これにより、ＩＣカード２を所持していることが遊技者６に認識されるから、退店前にＩＣカード２に残っているクレジットを消費したり清算したりするように遊技者６を促すことができる。これにより、遊技者６によるＩＣカード２の持ち帰りを低減させることができる。
【００３４】
また、ＩＣカード２の筐体の振動によって、ＩＣカード２の存在が遊技者６に報知されるから、遊技場の店内が騒がしくても、ＩＣカード２を所持していることを遊技者６に高い確率で認識させることができる場合がある。
【００３５】
さらに、ＩＣカード２にクレジットが残っている場合に、ＩＣカード２の存在が遊技者６に報知される。これにより、残っているクレジットで遊技を続けるように遊技者６を促すことができるから、ＩＣカード２の有効期限が発行日のみであるような場合に、ＩＣカード２に残っているクレジットが無駄になる不利益を遊技者６が被らないようにすることができる。
【００３６】
次に、所定時間（例えば３０秒）が経過したか否かを判定し（Ｓ５）、所定時間が経過していないと判定した場合には（Ｓ５，ＮＯ）、ステップＳ５を繰り返すことによって、所定時間の経過待ちとなる。一方、所定時間が経過したと判定した場合には（Ｓ５，ＹＥＳ）、バイブレータ２９による振動を停止させる（Ｓ６）。そして、ステップＳ１に戻る。
【００３７】
（ホールコンピュータ側管理処理ルーチン）
ホールコンピュータ３の動作であるホールコンピュータ側管理処理ルーチンが実行されると、図３に示すように、ホールコンピュータ３のＣＰＵ３３は、通信回路３６を介してアンテナ３９から検出信号を送信させる（Ｓ１０１）。そして、ＩＣカード２から送信される退店信号を受信したか否かを判定する（Ｓ１０２）。退店信号を受信していないと判定した場合には（Ｓ１０２，ＮＯ）、ステップＳ１０１に戻る。一方、退店信号を受信したと判定した場合には（Ｓ１０２，ＹＥＳ）、退店信号に基づいた情報画像を表示部４１に表示させる（Ｓ１０３）。そして、ステップＳ１０１に戻る。
【００３８】
このように、クレジットが残っているＩＣカード２を所持した遊技者６が退店しようとする際に、ホールコンピュータ３の表示部４１に情報画像が表示される。これにより、情報画像を視認した管理者に、ＩＣカード２を持ち帰らないように遊技者６を誘導させることができる場合がある。
【００３９】
（端末装置側管理処理ルーチン）
端末装置４の動作である端末装置側管理処理ルーチンが実行されると、図３に示すように、端末装置４のＣＰＵ３３は、ＩＣカード２から送信される退店信号を受信したか否かを判定する（Ｓ２０１）。退店信号を受信していないと判定した場合には（Ｓ２０１，ＮＯ）、ステップＳ２０１に戻る。一方、退店信号を受信したと判定した場合には（Ｓ２０１，ＹＥＳ）、退店信号に基づいた情報画像を表示部４１に表示させる（Ｓ２０２）。そして、ステップＳ２０１に戻る。
【００４０】
このように、クレジットが残っているＩＣカード２を所持した遊技者６が退店しようとする際に、端末装置４の表示部４１に情報画像が表示される。これにより、情報画像を視認した遊技場の店員７に、ＩＣカード２を持ち帰らないように遊技者６を誘導させることができる場合がある。
【００４１】
（本実施の形態の概要）
以上のように、本実施の形態のカード管理システム１は、信号を受信可能な受信手段（アンテナ２８、送受信部２６等）と、自己の存在を報知する報知手段（バイブレータ２９、バイブレータ駆動回路２７等）と、受信手段が所定の信号（検出信号）を受信した場合に、報知手段に報知させる報知制御手段（ＣＰＵ２３、図３の管理処理ルーチン等）と、を有するＩＣカード２と、遊技場の出口８に設けられ、所定の信号を送信する送信装置（ホールコンピュータ３等）と、を有する構成にされている。
【００４２】
上記の構成によれば、遊技者６がＩＣカード２を所持した状態で遊技場から退店しようとすると、遊技場の出口８に設けられた送信装置から送信された所定の信号を受信したＩＣカード２によって、ＩＣカード２の存在が遊技者６に報知される。これにより、ＩＣカード２を所持していることが遊技者６に認識されるから、退店前にＩＣカード２に残っている遊技価値を消費したり清算したりするように遊技者６を促すことができる。これにより、遊技者６によるＩＣカード２の持ち帰りを低減させることができる。
【００４３】
また、本実施の形態のカード管理システム１において、ＩＣカード２は筐体を更に有し、報知手段は、筐体を振動させる振動手段（バイブレータ２９、バイブレータ駆動回路２７等）である構成にされている。上記の構成によれば、筐体の振動によって、ＩＣカード２の存在が遊技者６に報知されるから、遊技場の店内が騒がしくても、ＩＣカード２を所持していることを遊技者６に高い確率で認識させることができる場合がある。
【００４４】
また、本実施の形態のカード管理システム１において、ＩＣカード２は、遊技価値（クレジット等）を記憶可能な記憶手段（ＲＡＭ２５等）と、記憶手段が遊技価値を記憶しているか否かを判定する判定手段（ＣＰＵ２３等）と、受信手段が所定の信号を受信した場合に、判定手段に判定させる判定制御手段（ＣＰＵ２３等）と、を更に有し、報知制御手段は、記憶手段が遊技価値を記憶していると判定手段が判定した場合に、報知手段に報知させる構成にされている。上記の構成によれば、ＩＣカード２に遊技価値が残っている場合に、ＩＣカード２の存在が遊技者６に報知される。これにより、残っている遊技価値で遊技を続けるように遊技者６を促すことができるから、ＩＣカード２の有効期限が発行日のみであるような場合に、ＩＣカード２に残っている遊技価値が無駄になる不利益を遊技者６が被らないようにすることができる。
【００４５】
また、本実施の形態のカード管理システム１において、ＩＣカード２は、信号を送信可能な送信手段（アンテナ２８、送受信部２６等）と、記憶手段が遊技価値を記憶していると判定手段が判定した場合に、特定の信号（退店信号）を送信手段から送信させる送信制御手段（ＣＰＵ２３等）と、を更に有し、特定の信号を受信可能な特定信号受信手段（アンテナ３９、通信回路３６等）と、画像を表示する表示手段（表示部４１等）と、特定信号受信手段が特定の信号を受信した場合に、特定の信号を特定の画像（情報画像）として表示手段に表示させる表示制御手段（ＣＰＵ３３、表示制御回路３８、図３の管理処理ルーチン等）と、を有する表示装置（ホールコンピュータ３、端末装置４等）を更に有する構成にされている。上記の構成によれば、遊技価値が残っているＩＣカード２を所持した遊技者６が退店しようとする際に、表示装置に特定の画像が表示される。これにより、特定の画像を視認した遊技場の店員７等に、ＩＣカード２を持ち帰らないように遊技者６を誘導させることができる場合がある。
【００４６】
（本実施の形態の変形例）
以上、本発明の実施例を説明したが、具体例を例示したに過ぎず、特に本発明を限定するものではなく、具体的構成などは、適宜設計変更可能である。また、発明の実施の形態に記載された、作用及び効果は、本発明から生じる最も好適な作用及び効果を列挙したに過ぎず、本発明による作用及び効果は、本発明の実施の形態に記載されたものに限定されるものではない。
【００４７】
例えば、本実施の形態において、バイブレータ２９の振動により報知が行われる構成にされているが、この構成に限定されるものではなく、光や音の出力により報知が行われる構成にされていてもよい。
【００４８】
また、本実施の形態において、ホールコンピュータ３が検出信号を送信する構成にされているが、この構成に限定されるものではなく、検出信号を送信する送信装置が別途設けられた構成にされていてもよい。
【図面の簡単な説明】
【００４９】
【図１】カード管理システムの構成図。
【図２】カード管理システムの電気的構成を示す図。
【図３】管理処理ルーチンを示す図。
【符号の説明】
【００５０】
１    カード管理システム
２    ＩＣカード
３    ホールコンピュータ
８    出口
２３    ＣＰＵ
２６    送受信部
２７    バイブレータ駆動回路
２８    アンテナ
２９    バイブレータ
【図１】
0005222621.tif 000002
【図２】
0005222621.tif 000003
【図３】
0005222621.tif 000004